(57)【要約】      （修正有）【課題】逸液防止性能に優れかつ安定した強度発現を有する既製杭の根固め液を提供する。【解決手段】セメントと水を混合したセメントミルクに、カチオン性界面活性剤から選ばれる化合物（Ａ）とアニオン性芳香族化合物から選ばれる化合物（Ｂ）との組み合わせからなる逸液防止剤を添加混合し、５００〜１００００ｍＰａ・ｓの粘度に調製したことを特徴とする。【選択図】なし【特許請求の範囲】
【請求項１】
セメントと水を混合したセメントミルクに、カチオン性界面活性剤から選ばれる化合物
（Ａ）と、アニオン性芳香族化合物から選ばれる化合物（Ｂ）との組み合わせからなる逸
液防止剤を添加して混合し、５００〜１００００ｍＰａ・ｓの粘度に調製したことを特徴
とする既製杭の根固め液。
【請求項２】
セメントと水を混合したセメントミルクに、カチオン性界面活性剤から選ばれる化合物
（Ａ）と、アニオン性芳香族化合物から選ばれる化合物（Ｂ）又は及びカチオン交換性の
鉱物微粉末（Ｃ）との組み合わせからなる逸液防止剤を添加して混合し、５００〜１００
００ｍＰａ・ｓの粘度に調製したことを特徴とする既製杭の根固め液。
【請求項３】
前記セメントに膨張材を添加したことを特徴とする請求項1 又は請求項２記載の既製杭
の根固め液。
【請求項４】
掘削攪拌ロッドを用いて地盤を支持層まで掘削し、根固め拡大部を形成した後、請求項
１乃至請求項３のうちいずれか一つに記載の既成杭の根固め液を注入し、次いで杭周固定
液を注入しながら前記掘削攪拌ロッドを引き上げた後、孔中に既製コンクリート杭を沈設
して地盤と杭を一体化させることを特徴とする既成杭の埋込み工法。
【請求項５】
前記杭周固定液が、セメントミルク、前記逸液防止剤，水溶性高分子化合物または架橋
性粘土鉱物を含むセメントミルクであることを特徴とする請求項４記載の既成杭の埋込み
工法。
【請求項６】
既製コンクリート杭の中空部にオーガービットを挿入して、杭を沈設しながら支持層ま
で掘削し、根固め拡大部を形成した後、請求項１乃至請求項３のうちいずれか一つに記載
の既成杭の根固め液を注入し、次いで杭中空部にセメントミルクを注入しながらオーガー
ビットを引き上げ、地盤と杭を一体化させることを特徴とする既成杭の埋込み工法。
【発明の詳細な説明】
【技術分野】
【０００１】
本発明は、逸液防止性能に優れかつ安定した強度発現を有する既成杭の根固め液および
この根固め液を用いた既製杭の埋め込み工法に関するものである。
【背景技術】
【０００２】
既製杭の埋込み工法にはプレボーリング工法と中掘り工法があるが、いずれの工法にお
いても杭先端には根固め部が形成され、支持地盤に固着する構造をとっている。中でも、
根固め部を杭径より拡大した拡大部を築造（拡大球根）し、杭の先端支持力を大きくする
工法が各種開発されてきた。
【０００３】
前記根固め部は、通常セメントと水とを混合したセメントミルクを根固め液として掘削
孔に充填し、硬化させて形成される。一般に使用される支持杭のセメントミルクの水セメ
ント比は５０〜７０％であり、２８日材齢強度が２０Ｎ/ ｍｍ2 以上で管理されている。
【０００４】
又、プレボーリング工法では、杭周囲と掘削孔壁面との一体化を計る目的で、水セメン
ト比が根固め液の同等以上のセメントミルクで掘削土と攪拌したソイルセメントとなし、
一般に２８日材齢強度が０．５Ｎ/ ｍｍ2 以上で管理される杭周固定液が充填される。
【０００５】
既成杭の埋込み工法では、根固め部や杭周固定部を確実に築造し、かつ前記強度管理値
を満たすことが必要である。しかしながら、砂礫層をはじめとする透水層、或いは逸液の
激しい層を有する地盤においては、充填したセメントミルクが時間の経過と共に減少し、
このため、杭とその周囲地盤の一体性が損なわれるといった問題があった。
【０００６】
これに対して、吸水性ポリマーを配合したり、カルボキシメチルセルロース等の水溶性
高分子を添加することで逸液防止を解決する試みがなされてきたが、吸水性の制御が困難
であったり、セメントミルクの水硬性が阻害され所定の管理強度が達成できないなどの問
題があった。
【０００７】
また新聞紙等の紙とアルカリ水溶液を混合し、更にこれを中和させた材料（特開平７−
４１７６４号公報）や、パルプ繊維等の繊維材に高吸水性合成樹脂材を混合したもの（特
開２００４−９９６７７号公報）、特定の性質を満たす異なる２種類の水溶性低分子化合
物と水硬性粉体とを含有する杭工法用水硬性組成物（特許３９７３９９０号公報）、ベン
トナイト等の粘土鉱物を併用した濃厚なセメントミルク等が提案されているが、特に根固
め液に適用する場合において、十分な逸液防止効果と硬化後の強度発現に関する開示がな
されていない。
【０００８】
そこで、セメント粉体に低活性シリカ質粉体を混合し、粉末度を10,000cm2/ｇ以上にし
た逸水防止用のセメント（特開平６−２４８１９号公報）、アルギン酸ナトリウムを０．
２〜４％添加したセメントミルク（特開２００８−２７４７２６号公報）などが提案され
ている。これらの提案では、根固め液として十分使用に耐える強度発現が認められるが、
粉砕コストの増大や汎用性に乏しく現実的でないといった問題や、６０分から９０分で流
動性が消失した後は不可逆的に流動性を回復できないといった問題がある。
【先行技術文献】
【特許文献】
【０００９】
【特許文献１】特開平７−４１７６４号公報
【特許文献２】特開２００４−９９６７７号公報
【特許文献３】特許３９７３９９０号公報
【特許文献４】特開平６−２４８１９号公報
【特許文献５】特開２００８−２７４７２６号公報
【発明の概要】
【発明が解決しようとする課題】
【００１０】
本発明は前記事項に鑑みてなされたもので、逸液防止性能に優れ、安定した強度発現を
有し、粘度調整を可逆的に行うことが可能な既成杭の根固め液とこれを用いた既製杭の埋
め込み工法の提供を技術的課題としている。
【課題を解決するための手段】
【００１１】
上記の目的を達成するため、本願の請求項１に記載の発明は、セメントと水を混合した
セメントミルクに、カチオン性界面活性剤から選ばれる化合物（Ａ）と、アニオン性芳香
族化合物から選ばれる化合物（Ｂ）との組み合わせからなる逸液防止剤を添加して混合し
、５００〜１００００ｍＰａ・ｓの粘度に調製したことを特徴とする既製杭の根固め液で
ある。
【００１２】
また、請求項２に記載の本発明は、セメントと水を混合したセメントミルクに、カチオ
ン性界面活性剤から選ばれる化合物（Ａ）と、アニオン性芳香族化合物から選ばれる化合
物（Ｂ）又は及びカチオン交換性の鉱物微粉末（Ｃ）との組み合わせからなる逸液防止剤
を添加して混合し、５００〜１００００ｍＰａ・ｓの粘度に調製したことを特徴とする既
製杭の根固め液であり、請求項３に記載の本発明は、前記セメントに、膨張材を添加した
ことを特徴とする既製杭の根固め液である。
【００１３】
また、上記の目的を達成するため、本願の請求項４に記載の発明は、掘削攪拌ロッドを
用いて地盤を支持層まで掘削し、根固め拡大部を形成した後、請求項１乃至請求項３のう
ちいずれか一つに記載の既成杭の根固め液を注入し、次いで杭周固定液を注入しながら前
記掘削攪拌ロッドを引き上げた後、孔中に既製コンクリート杭を沈設して地盤と杭を一体
化させることを特徴とする既成杭の埋込み工法である。
【００１４】
更に、請求項５に記載の本発明は、前記杭周固定液が、セメントミルク、前記逸液防止
剤，水溶性高分子化合物または架橋性粘土鉱物を含むセメントミルクであることを特徴と
する請求項４記載の既成杭の埋込み工法である。
【００１５】
そして、本願の請求項６に記載の発明は、既製コンクリート杭の中空部にオーガービッ
トを挿入して、杭を沈設しながら支持層まで掘削し、根固め拡大部を形成した後、請求項
１乃至請求項３のうちいずれか一つに記載の既成杭の根固め液を注入し、次いで杭中空部
にセメントミルクを注入しながらオーガービットを引き上げ、地盤と杭を一体化させるこ
とを特徴とする既成杭の埋込み工法である。
【発明の効果】
【００１６】
本願の請求項１記載の根固め液は、ポンプ圧送性に優れ、長時間のミキシングによって
も逸液防止性が損なわれず、かつ化合物（Ａ）と化合物（Ｂ）の混合割合を自由に選択で
き、粘性を調節できる。一方、本願請求項２記載の根固め液は、温度の影響を受け難く、
長時間安定に流動性が確保された請求項１記載の根固め液を提供できる。さらに本願の請
求項３記載の根固め液は、地盤との密着性に優れた本願請求項１又は請求項２記載の根固
め液を提供できる。
【００１７】
また、本願の請求項４記載の杭の埋込み工法は、逸液防止性に優れ、従来の施工に支障
なく目的を達成できるプレボーリング工法を提供することができる。更に、本願の請求項
５記載の杭の埋込み工法では、必要に応じて杭周固定部にも逸液防止性を付与できるプレ
ボーリング工法を提供できるもののである。さらに、本願の請求項６記載の杭の埋込み工
法は、逸液防止性に優れ、従来の施工に支障なく目的を達成できる中掘り工法を提供する
ことができる。
【図面の簡単な説明】
【００１８】
【図１】化合物（Ａ）と化合物（Ｂ）からなる逸液防止剤の添加率と根固め液の粘度        との関係を示すグラフである。
【図２】化合物（Ａ）と化合物（Ｃ）からなる逸液防止剤及びこれに化合物（Ｂ）を        組み合わせてなる逸液防止剤の添加率と根固め液の粘度との関係を示すグラ        フである。
【図３】化合物（Ａ）と化合物（Ｂ）からなる逸液防止剤の添加率と根固め液の圧縮        強度との関係を示すグラフである。
【図４】化合物（Ａ）と化合物（Ｃ）からなる逸液防止剤の添加率と根固め液の圧縮        強度との関係を示すグラフである。
【発明を実施するための形態】
【００１９】
本発明で使用するセメントは、普通ポルトランドセメント、早強ポルトランドセメント
等のポルトランドセメント、高炉セメント等の混合セメントまたはエコセメントのいずれ
かを用いることができる。
【００２０】
また、本発明で使用する逸液防止剤に使用するカチオン性界面活性剤から選ばれる化合
物（Ａ）は第四級アミン塩であり、中でもテトラアルキルアンモニウム塩であることが好
ましい。また、アニオン性芳香族化合物から選ばれる化合物（Ｂ）は芳香環を有するスル
ホン酸塩であり、中でもアルキルアリルスルホン酸塩であることが好ましい。
【００２１】
更に、本発明で使用する逸液防止剤に使用するカチオン交換性の鉱物微粉末（Ｃ）は、
アニオン性シリケート層に挟まれた層間の金属カチオンの高い交換能を有するスメクタイ
ト族の粘土鉱物であり、中でもモンモリロナイトであることが好ましい。
【００２２】
本発明で使用する逸液防止剤は、化合物（Ａ）と化合物（Ｂ）の組み合わせからなる場
合、水の質量に対し後述する添加量の範囲で、質量比（Ａ）：（Ｂ）＝１：１を基準とし
て、混練後の根固め液の粘度が５００〜１００００ｍＰａ・ｓとなるよう調製される。ま
た、化合物（Ａ）と化合物（Ｃ）の組み合わせからなる場合、セメントの質量に対し後述
する添加量の範囲で、質量比（Ａ）：（Ｃ）＝１：５を基準として、後述する添加量の範
囲で、混練後の根固め液の粘度が５００〜１００００ｍＰａ・ｓとなるよう調製される。
【００２３】
本発明の既製杭埋込み工法用の根固め液では、逸液防止剤と後述するセメントミルク及
び膨張材との混練後の根固め液粘度が５００〜１００００ｍＰａ・ｓとなるよう調製され
る。より好ましくは、１０００〜５０００ｍＰａ・ｓとなるように、化合物（Ａ）と化合
物（Ｂ）の質量比、または化合物（Ａ）と化合物（Ｃ）の質量比を変えて調製する。
【００２４】
ここで、逸液防止剤の粘度が１００００ｍＰａ・ｓ以上となると、ポンプ圧送が極めて
困難となり、粘度が５００ｍＰａ・ｓ以下となると、逸液防止機能が損なわれる。また、
化合物（Ａ）と化合物（Ｂ）の組み合わせからなる場合は、水温の変化が影響するが、化
合物（Ａ）と化合物（Ｃ）の組み合わせからなる場合は水温の影響を受けにくく、化合物
（Ｂ）を併用することで粘度の調製も容易となる。
【００２５】
根固め液の粘度測定には、回転数制御方式等の多くの測定方式があるが、使用するロー
タと回転数が同じであればよい。例えば、高粘度用のビスコメーター（リオン製、ＶＴ−
０４Ｆ）などが簡便でよい。根固め液の調製に使用する逸液防止剤の温度は、別バッチで
２０℃定温で保持することが望ましい。一方、あらかじめミキサーでセメントと水を混合
して調製されるセメントミルクの練上り温度も一定にすることが望ましいが、施工現場で
は大量の水を連続的に使用することから困難を伴うことが多い。
【００２６】
この場合、逸液防止剤が化合物（Ａ）と化合物（Ｂ）の組み合わせからなる場合は、水
温に応じて化合物（Ａ）と化合物（Ｂ）の添加割合を変更し、所定の粘度となるよう調製
する。一方、逸液防止剤が化合物（Ａ）と化合物（Ｃ）の組み合わせからなる場合は、通
常の水温１℃〜３０℃の範囲でポンプ圧送に影響するほど粘度は変化せず、さらに化合物
（Ｂ）を併用することで粘度は安定する。
【００２７】
本発明の既製杭埋込み工法用の根固め液は、水セメント比５０〜７０％のセメントミル
クに、化合物（Ａ）と化合物（Ｂ）の組み合わせからなる逸液防止剤を使用する場合、水
の質量に対し０．５〜２．５％、より好ましくは、１．０〜２．０％である。また、化合
物（Ａ）と化合物（Ｃ）の組み合わせからなる逸液防止剤を使用する場合、セメントの質
量に対し１．０〜５．０％であり、より好ましくは、２．０〜４．０％である。なお化合
物（Ａ）と化合物（Ｃ）に化合物（Ｂ）を組み合わせてなる逸液防止剤を使用する場合、
セメントの質量に対し２．０％以下、より好ましくは１．０％以下、別に添加する。
【００２８】
本発明に係る既製杭の根固め液は、８０ｃｍ/ ｍｉｎ以上の逸液性の大きな地盤におい
ても十分な逸液防止性能を有している。一般に、高分子系増粘剤（水中不分離混和剤）を
１〜１．５％添加することによって逸液防止性を付与できるが、単位水量に対し１％以下
の添加によっても強度低下が認められ、所定強度に達しない可能性がある。
【００２９】
また、本発明に係る既製杭の根固め液は、硬化後２８日材齢強度が２０Ｎ/ ｍｍ2 以上
である。一般に根固め液の強度管理は、ミキサー混練後のバッチからサンプリングされ、
地盤に注入される前の根固め液を所定のポリエチレンチューブに充填し、２０℃の水中で
養生された後、所定形状にカットして強度試験に供される。管理値は２０Ｎ/ ｍｍ2 以上
であるが、実際の地盤中では掘削土砂が入り混じることになり、１．５〜２．０程度の安
全率をみることが望ましい。すなわち、実用的には、３０〜４０Ｎ/ ｍｍ2 の強度を発現
する配合とする。
【００３０】
本発明に係る既製杭の根固め液に必要に応じて膨張材を添加することができる。この場
合、膨張材とは水和反応によってエトリンガイトや水酸化カルシウム等の結晶を生成させ
るもので、いずれを用いてもよい。また、膨張材の使用量は、セメントの質量に対し２．
０〜１０．０％、より好ましくは５．０〜７．０％である。膨張材の添加はセメントに対
し外割り添加する場合と内割り添加する場合とがあるが、一般に内割り添加とする場合が
多い。この場合添加量が多いと強度が低下する原因となる。
【００３１】
プレボーリング工法では、掘削攪拌ロッドを用いて地盤を支持層まで掘削し、根固め拡
大部を形成した後、本発明の既製杭の根固め液を注入し、次いで杭周固定液を注入しなが
ら掘削攪拌ロッドを引き上げた後、孔中に既製コンクリート杭を沈設して、地盤と杭を一
体化する。この場合、杭周固定液は、通常のセメントミルク、前記逸液防止剤を含むセメ
ントミルク、水溶性高分子化合物または架橋性粘土鉱物を含むセメントミルクのいずれで
あってもよい。さらに、これらに膨張材を加えることもできる。
【００３２】
杭周固定液にも本発明の逸液防止剤を添加して調製することができる。しかし杭周固定
液の管理強度は、水セメント比が６０〜２１０％程度で、２８日材齢強度が０．５Ｎ/ ｍ
ｍ2 以上であることから、逸液防止性と所定強度を満足することにさほど困難性はなく、
従来周知の方法を採用することが可能である。
【００３３】
中掘り工法では、既製コンクリート杭中空部にオーガービットを挿入し、杭を沈設しな
がら支持層まで掘削した後、根固め拡大部を形成した後、本発明の既製杭の根固め液を注
入し、次いで杭中空部にセメントミルクを注入しながらオーガービットを引き上げ、地盤
と杭を一体化させる。この場合、ジェット噴射方式の拡大掘削ないし拡大球根築造を行う
場合にはノズルが詰まらないように注意する必要があり、その根固め液粘度は、ノズル径
や吐出ポンプの性能にもよるが、５０００ｍＰａ・ｓ以下となるよう調製するとよい。
【００３４】
なお、これら埋め込み杭工法における地盤掘削時に、ベントナイトやカルボキシルメチ
ルセルロースといった孔壁安定材を使用することもできる他、掘削液として水セメント比
を高め、根固め液の調製に使用する逸液防止剤を添加して用いてもよい。
【実施例１】
【００３５】
［実施例１の１］
水と普通ポルトランドセメントまたは高炉セメントＢ種から、Ｗ／Ｃ＝５０〜６０％の
セメントミルクを調製した。化合物（Ａ）としてアルキルアンモニウム塩を主成分とする
カチオン性界面活性剤（花王株式会社製、商品名「ビスコトップ１００Ｂ」）と、化合物
（Ｂ）としてアルキルアリルスルホン酸塩主成分とするアニオン性芳香族化合物（花王株
式会社製、商品名「ビスコトップ１００Ａ」）を等量混ぜ合わせ、２０℃に保って逸液防
止剤を調製した。この逸液防止剤をセメントミルクの調製に使用した水の０〜２．０％を
セメントミルクに添加し、ビスコテスターＶＴ−０４Ｆで粘度の測定を行った（２０℃恒
温室内、ロータＮｏ．１）。
【００３６】
図１に示すように、普通ポルトランドセメントおよび高炉セメントＢ種とも、逸液防止
剤の添加量が１．０％まではほとんど粘度が増加しないが、添加量が１．０％を超えると
粘度が急激に増加し、１．５％ではＷ／Ｃ＝５５％で５０００ｍＰａ・ｓ前後に達した。
なお、Ｊ１４漏斗による流下時間によってもある程度粘性の評価ができるものの、水セメ
ント比が小さくなると測定が困難になるほか、１００秒を超えるためばらつきが大きくな
りやすい。
【００３７】
［実施例１の２］
同様に、水と高炉セメントＢ種から、Ｗ／Ｃ＝６０％のセメントミルクを調製した。化
合物（Ａ）としてアルキルアンモニウム塩を主成分とするカチオン性界面活性剤（花王株
式会社製、商品名「ビスコトップ１００Ｂ」）と、化合物（Ｃ）としてカチオン交換性の
鉱物微粉末（クニミネ工業株式会社製、商品名「クニゲルＶ１」）を１：５の質量比で使
用し、使用セメント量の０〜４．０％をセメントミルクに添加し、ビスコテスターＶＴ−
０４Ｆで粘度の測定を行った（２０℃恒温室内、ロータＮｏ．１）。また、化合物（Ｂ）
として、アルキルアリルスルホン酸塩主成分とするアニオン性芳香族化合物（花王株式会
社製、商品名「ビスコトップ１００Ａ」）を、高炉セメントＢ種に対し０．５％添加して
同様に粘度の測定を行った。
【００３８】
図２に示すように、化合物（Ａ）と化合物（Ｃ）の組み合わせでは、逸液防止剤の添加
量が２．０％まではほとんど粘度が増加しないが、添加量が２．０％を超えると粘度が急
激に増加し、３．５％では４０００ｍＰａ・ｓに達した。一方、化合物（Ｂ）をさらに添
加した場合には４５００ｍＰａ・ｓであった。同様な粘度測定を練り上がり温度５℃およ
び３０℃の場合で比較したが、低温でやや粘度は増加するものの大きな変化がなかった。
【実施例２】
【００３９】
［実施例２の１］
上記実施例１の１と同様に、水と普通ポルトランドセメント、高炉セメントＢ種またはエコセメントから、Ｗ／Ｃ＝５０〜６０％のセメントミルクを調製した。化合物（Ａ）としてアルキルアンモニウム塩を主成分とするカチオン性界面活性剤（花王株式会社製、商品名「ビスコトップ１００Ｂ」）と、化合物（Ｂ）としてアルキルアリルスルホン酸塩主成分とするアニオン性芳香族化合物（花王株式会社製、商品名「ビスコトップ１００Ａ」）を等量混ぜ合わせ、２０℃に保って逸液防止剤を調製し、これをセメントミルクに０〜２．０％添加して練り上げ、ポリエチレンチューブに充填して２０℃の恒温水槽中で養生し、材齢２８日経過後、φ５０ｍｍ×１００ｍｍの円柱供試体を切り出し圧縮強度試験を行った。
【００４０】
図３に示すように、根固め液の強度は、セメントの種類、逸液防止剤の添加量および水
セメント比の影響を受けるが、図１に示した粘度の範囲で考えると、５００〜１００００
ｍＰａ・ｓの範囲で、管理強度の１．５倍に相当する３０Ｎ/ ｍｍ2 以上の強度に達する
ことが分かる。特に、高炉セメントＢ種を用いた場合は、上記の範囲内で強度低下が少な
い。
【００４１】
［実施例２の２］
上記実施例１の２と同様に、水と高炉セメントＢ種から、Ｗ／Ｃ＝６０％のセメントミルクを調製し、化合物（Ａ）としてアルキルアンモニウム塩を主成分とするカチオン性界面活性剤（花王株式会社製、商品名「ビスコトップ１００Ｂ」）と、化合物（Ｃ）としてカチオン交換性の鉱物微粉末（クニミネ工業株式会社製、商品名「クニゲルＶ１」）を１：５の質量比で使用し、使用セメント量の０〜４．０％をセメントミルクに添加して練り上げ、ポリエチレンチューブに充填して２０℃の恒温水槽中で養生し、材齢２８日経過後、φ５０ｍｍ×１００ｍｍの円柱供試体を切り出し、圧縮強度試験を行った。
【００４２】
図４に示すように、根固め液の強度は逸液防止剤の添加量がセメントに対し５％までは
強度の低下がなかった。図２の結果から判断すると、広範囲の粘度条件下で管理強度２倍
を満足する逸液防止性の根固め液を得ることができる。
【実施例３】
【００４３】
上記実施例１の１または実施例１の２で得た根固め液のうち、水と普通ポルトランドセメント又は高炉セメントＢ種から、Ｗ／Ｃ＝６０％のセメントミルクを調製し、化合物（Ａ）と化合物（Ｂ）の組み合わせからなる逸液防止剤と、化合物（Ａ）と化合物（Ｃ）の組み合わせからなる逸液防止剤を、粘度１０００ｍＰａ・ｓおよび５０００ｍＰａ・ｓとなるよう添加して根固め液を調製した。
【００４４】
レベル調整した台の上に逸液防止性評価装置を置き、塩ビ管（外径φ48.2mm）を中央に
設置し、水を高さ１５ｃｍまで水を張った。その後、粗砂（４号珪砂）を周辺部及び内部
に充填した。周辺部は高さ１５ｃｍとし、内部は高さ４ｃｍに相当する質量の砂を投入し
た。砂を充填するときに張った水を排出した後、充填体積を一定として根固め液を流し込
んだ。その後、塩ビ管を回しながら引き抜き、水を流した。排出孔からの水を採取し、そ
の質量と時間を測定して流速を算出するとともに、逸液状況を観察した。なお、比較のた
めに、逸液防止剤を加えない根固め液（プレーン）を調製して試験に供した。
【００４５】
【表１】
2010241895.tif 000002
【００４６】
表１に示すように、普通ポルトランドと水とからなる根固め液（プレーン）では、流速
１１２ｃｍ／ｍｉｎの条件でほとんどが流失した。一方、１０００ｍＰａ・ｓに調製した
根固め液では流速１１２ｃｍ／ｍｉｎの条件で約半分が流出したが、一定の逸液防止性の
あることが分かった。根固め液の粘度を５０００ｍＰａ・ｓとした場合には８０〜１００
％の根固め液が残存しており、厳しい逸液条件下でも優れた逸液防止性が発揮された。
【００４７】
以上の実験結果から、化合物（Ａ）と化合物（Ｂ）または化合物（Ａ）と化合物（Ｃ）
の組み合わせからなる逸液防止剤を加え、粘度を１０００ｍＰａ・ｓ〜５０００ｍＰａ・
ｓとした根固め液は、厳しい逸液条件下でも優れた逸液防止性が発揮されるとともに、逸
液防止剤を加えない根固め液に対して強度低下も少なく、実用性に優れるものと判断され
る。
【図１】
2010241895.tif 000003
【図２】
2010241895.tif 000004
【図３】
2010241895.tif 000005
【図４】
2010241895.tif 000006